(57)【要約】【課題】用紙給紙手段にセットされた官製はがきや官製往復はがき等の用紙のセット状態を確認して、そのセット状態に合わせて予め入力された画像データの記録するデータを切り換えて記録面上に適切な画像として記録再現できるようにした画像記録装置を提供する。【解決手段】入力された画像データを記憶する画像データ記憶手段２５０と、画像形成部に向かって供給する用紙を載置する用紙供給手段２１１ｃと、用紙供給手段２１１ｃに載置された用紙の表、裏および方向を判別する用紙セット状態判別手段２３０と、用紙セット状態判別手段２３０によって判別された結果に基づいて、前記画像データ記憶手段２５０に記憶されている画像データによる画像の記録動作を制御する記録制御手段２３０と、を備えている。【選択図】  図２
2005031491.tif 000002
【特許請求の範囲】
【請求項１】
入力された画像データを用紙上に画像として記録再現する画像形成部を備えた画像記録装置において、
前記入力された画像データを記憶する画像データ記憶手段と、
前記画像形成部に向かって供給する前記用紙を載置する用紙供給手段と、
前記用紙供給手段に載置された前記用紙の表、裏および方向を判別する用紙セット状態判別手段と、
前記用紙セット状態判別手段によって判別された結果に基づいて、前記画像データ記憶手段に記憶されている画像データによる画像の記録動作を制御する記録制御手段と、を備えていることを特徴とする画像記録装置。
【請求項２】
前記用紙セット状態判別手段は、前記用紙給紙手段に載置された用紙の画像を、予め記憶されている特定の用紙の画像データと比較することで、前記載置された用紙の表、裏および方向を判別することを特徴とする請求項１に記載の画像記録装置。
【請求項３】
前記記録制御手段は、前記用紙セット状態判別手段による判別結果に基づいて画像の記録順序もしくは画像の向きを制御し、前記用紙セット状態判別手段による判別が不可能なときは、以降の画像データによる画像の記録再現を制限することを特徴とする請求項１に記載の画像記録装置。
【発明の詳細な説明】
【技術分野】
【０００１】
本発明は、パーソナルコンピュータ等の外部機器から入力される画像データを記録紙上に画像として記録再現する光走査プリンタ等の画像記録装置に係り、特に、官製郵便はがきや官製往復郵便はがき等に画像を記録する画像記録装置に関する。
【背景技術】
【０００２】
官製はがきや官製往復はがき等に、あて先の住所、氏名、差出人の住所、氏名等を効率よく印刷できる装置として日本語ワードプロセッサ等が商品化され、これまでに広く利用されてきた。この日本語ワードプロセッサは、操作者に対して用紙の印字面とプリントベッド部の関係が分かるような簡単なプリンタ構造に構成され、利用者が用紙をプリンタのプラテン部分にセットすることによりプリント可能な状態となり、印刷開始の指示により、予め入力された情報が印刷されるようになっていた（例えば、特許文献１，２参照）。
【０００３】
これら特許文献１，２に記載されている装置では、例えば、官製往復はがきの場合には、予め入力されたあて先の住所、氏名、差出人の住所、氏名等の情報を印刷する際に、往復はがきの往信面に印刷させるか返信面に印刷させるか、利用者が事前に設定して印刷の開始指示を行っていた。
【０００４】
【特許文献１】特開昭６４−９７４４号公報（明細書３頁右下欄上から２行目〜４頁左上欄上から１０行目、第６図、第７図）
【特許文献２】特開平１−１６１５２４号公報（明細書３頁右上欄下から４行目〜４頁左上欄下から５行目、第３図、第４図）
【発明の開示】
【発明が解決しようとする課題】
【０００５】
しかし、最近では日本語ワードプロセッサもパーソナルコンピュータに置き換えられ、ワードプロセッサ単体ではなく多彩なアプリケーションソフトのひとつとしてパーソナルコンピュータにインストールされ活用されるようになった。そのような中で、官製はがきや官製往復はがきにあて先の住所、氏名、差出人の住所、氏名等の情報を印刷しようとすると、専用のアプリケーションソフト以外に、外付けのプリンタ装置が必要とされる。
【０００６】
このプリンタは、レーザプリンタからインクジェットプリンタ、さらにはＬＥＤラインプリンタと種類も様々で、各プリンタは、印刷速度も異なれば、搬送機構等の内部構造も種々に異っている。このようなプリンタ環境の中で利用者は目的とする（使用する）プリンタに官製はがきや官製往復はがき等の定型用紙をセットして、その後、パーソナルコンピュータのアプリケーションソフト上から入力したあて先の住所、氏名、差出人の住所、氏名等の情報を印刷指示していた。
【０００７】
そのために、プリンタ環境の違いから用紙をどのようにセットすれば希望する記録面に目的の画像が記録されるのか判りにくく、利用者にとっては不安に感じながら使用しなければならなかった。特に、官製はがき等の定型用紙でのプリントミスはできるだけ発生しないようにすることが望ましく、その対策が求められていた。
【０００８】
本発明は、このような実情に鑑みてなされ、用紙給紙手段にセットされた官製はがきや官製往復はがき等の用紙のセット状態を確認して、そのセット状態に合わせて予め入力された画像データの記録するデータを切り換えて記録面上に適切な画像として記録再現できるようにした画像記録装置を提供することを目的とする。
【課題を解決するための手段】
【０００９】
本発明は、上述の課題を解決するための手段を以下のように構成している。
【００１０】
（１）入力された画像データを用紙上に画像として記録再現する画像形成部を備えた画像記録装置において、
前記入力された画像データを記憶する画像データ記憶手段と、前記画像形成部に向かって供給する前記用紙を載置する用紙供給手段と、前記用紙供給手段に載置された前記用紙の表、裏および方向を判別する用紙セット状態判別手段と、前記用紙セット状態判別手段によって判別された結果に基づいて、前記画像データ記憶手段に記憶されている画像データによる画像の記録動作を制御する記録制御手段と、を備えていることを特徴とする。
【００１１】
この構成においては、用紙セット状態判別手段によって、用紙供給手段にセットされた用紙の表、裏および方向（セット状態）が判別され、その判別結果に基づいて、画像の記録が制御されることで、用紙のセット状態を意識することなく、用紙給紙部に用紙をセットするだけで、入力された画像データが適切な状態で用紙上に記録再現される。
【００１２】
（２）前記用紙セット状態判別手段は、前記用紙給紙手段に載置された用紙の画像を、予め記憶されている特定の用紙の画像データと比較することで、前記載置された用紙の表、裏および方向を判別することを特徴とする。
【００１３】
この構成においては、用紙の表、裏および方向（セット状態）を意識することなく用紙給紙手段にセットされた用紙の画像を、特定の用紙のデータと比較して、その用紙のセット状態を判別して、入力された画像データが適切な状態で記録再現される。
【００１４】
（３）前記記録制御手段は、前記用紙セット状態判別手段による判別結果に基づいて画像の記録順序もしくは画像の向きを制御し、前記用紙セット状態判別手段による判別が不可能なときは、以降の画像データによる画像の記録再現を制限することを特徴とする。
【００１５】
この構成においては、用紙給紙手段にセットされた用紙のセット状態を確認できないときには、以降の画像記録が制限される。
【発明の効果】
【００１６】
以上の説明から明らかなように、本発明は、以下の効果を奏する。
【００１７】
（１）用紙セット状態判別手段によって、用紙供給手段にセットされた用紙の表、裏および方向（セット状態）が判別され、その判別結果に基づいて、画像の記録が制御されるので、用紙のセット状態を意識することなく、用紙給紙部に用紙をセットするだけで、入力された画像データが適切な状態で用紙上に記録再現される。従って、利用者は、セット状態を確認する煩わしさから開放され、かつ、ミスプリントの発生を抑えることも出来る。
【００１８】
（２）用紙の表、裏および方向（セット状態）を意識することなく用紙給紙手段にセットされた用紙の画像を、特定の用紙のデータと比較して、その用紙のセット状態を判別して、入力された画像データが適切な状態で記録再現されるので、利用者にとって操作に何ら煩わしさを感じることなく、セット状態を確実に判別することができ、ミスプリントの発生を抑えることも出来る。
【００１９】
（３）用紙給紙手段にセットされた用紙のセット状態を確認できないときには、以降の画像記録が制限されるので、ミスプリントの発生が抑えられると共に、利用者がその旨を認識することができ、以後、適切な対応をとることができる。
【発明を実施するための最良の形態】
【００２０】
以下に、本発明の実施形態に係る画像記録装置について図面を参照しつつ詳細に説明する。
【００２１】
《画像記録装置について》
図１は、画像記録装置としてのデジタル複合機（以下、複合機という。）１にパーソナルコンピュータを接続した例を示す。複合機本体の上面には、原稿台１１１及び図示省略の操作パネルが設けられ、かつ、原稿台１１１の上面には該原稿台１１１に対して開閉可能な状態で支持された原稿押圧カバーが装着されている。さらに、この複合機本体の内部には、画像読み取り部１１０及び画像形成部２１０が設けられている。
【００２２】
画像読み取り部１１０には、原稿台１１１上の所定位置に原稿画像面を下にしてセットされた原稿の画像を読み取るために、原稿台１１１の下方に該原稿台１１１の下面に沿って平行に往復移動する原稿走査体が配設されている。この原稿走査体は、第１の走査ユニット１１３と、第２の走査ユニット１１４と、光学レンズ１１５と、光電変換素子１１６とから構成されている。
【００２３】
その第１の走査ユニット１１３は、原稿画像面を露光する露光ランプと、原稿からの反射光像を所定の方向に向かって偏向する第１ミラーと、を備え、原稿台１１１の下面において一定の距離を保ちながら所定の走査速度で往復移動する。第２の走査ユニット１１４は、第１の走査ユニット１１３の第１ミラーにより偏向された原稿からの反射光像をさらに所定の方向に向かって偏向する第２・第３ミラーを備え、第１の走査ユニット１１３と一定の速度関係をもって往復移動する。
【００２４】
光学レンズ１１５は、第２の走査ユニット１１４の第３ミラーにより偏向された原稿からの反射光像を縮小して所定の位置に光像を結像させる。光電変換素子１１６は、光学レンズ１１５により縮小されて結像され光像を順次光電変換して原稿からの反射光像を電気信号として出力する。この光電変換素子１１６により電気信号に変換された原稿画像情報は、画像処理部に転送され画像データとして所定の処理が施される。
【００２５】
次に、複写機１の下部に配設されている画像形成部２１０について説明する。図１に示す画像形成部２１０内の下側には、給紙機構２１１が設けられており、用紙トレイ２１１ａ、２１１ｂ内に積載収容されている用紙を１枚ずつ分離して記録部側に向かって供給する。
【００２６】
また、複合機本体の右側面には手差しトレイ２１１ｃが設けられ、用紙トレイ２１１ａ、２１１ｂにセットできない用紙（厚紙、ＯＨＰシート、はがき、封筒等）がセットされる。この手差しトレイ２１１ｃにセットされた用紙も、呼び込みローラ２１１ｄにより１枚ずつ分離され記録部側に向かって供給される。
【００２７】
そして、用紙トレイ２１１ａ、２１１ｂあるいは手差しトレイ２１１ｂｃから１枚ずつ分離供給された用紙は、画像形成部２１０の手前に配置されたレジストローラ対２１２によりタイミングを制御して搬送され、画像形成部２１０とタイミングを合わせて再供給搬送される。さらに、画像形成部２１０において再現された画像（トナー像）は、転写装置により用紙上に転写される。この画像形成部２１０の下流側には搬送ベルト機構２１３が設けられ、これによりトナー像が転写された用紙が搬送される。
【００２８】
また、搬送ベルト機構２１３の下流側には用紙上に転写形成されたトナー像を用紙上に定着させるための定着装置２１７が配置されており、この定着装置２１７の定着ローラのニップ間を通過した用紙は、トナー像が定着され、搬送方向切り換えゲート２１８を経て排出ローラ２１９により装置外壁の排紙トレイ２２０上に排出される。
【００２９】
なお、切り換えゲート２１８は、定着後の用紙を装置外へと排出するか、再び画像形成部２１０に向かって再供給するかに応じて選択的に用紙の搬送経路を切り換えるものであって、この切り換えゲート２１８により再び画像形成部２１０に向かって搬送方向を切り換えられた用紙は、スイッチバック搬送経路２２１を介して表裏反転された後、画像形成部２１０へと再度供給される。
【００３０】
画像ステーションは、回転駆動される感光体ドラム２２２を中心に構成され、感光体ドラム２２２の周辺には、感光体ドラム２２２を一様に帯電させる帯電器２２３と、感光体ドラム２２２上に形成された静電潜像を現像する現像装置２２４と、現像されたトナー像を用紙に転写する転写用放電器２２５と、感光体ドラム２２２上に残留するトナーを除去するクリーニング手段２２６と、が感光体ドラム２２２の回転方向に沿って順次配設されている。
【００３１】
また、各感光体ドラム２２２の上方には、画像データに応じて変調されたドット光を発する半導体レーザ素子と、半導体レーザ素子からの光を主走査方向に偏向させるための偏向装置と、偏向装置により偏向されたレーザ光を感光体表面に結像させるためのｆθレンズ等から構成されるレーザービームスキャナユニット（以下、ＬＳＵという）２２７が設けられている。
【００３２】
ＬＳＵ２２７には、原稿画像に応じた画像データが入力される。これにより、記録部の感光体２２２上には原稿画像情報に対する静電潜像が形成され、記録部において原稿画像情報がトナー像として再現される。
【００３３】
画像ステーションにおいては、トナー像が上記構成によりそれぞれ形成され、用紙への画像の転写が行われ完了すると、定着装置２１７へと導かれる。そして、最後にトナー画像が定着された用紙は、排紙トレイ２２０上へと排出される。
【００３４】
図２は、本複合機１の制御系統を示す。この複合機１は、画像読み取り部１１０、操作部１１２、画像形成部２１０、機器制御部２３０、通信部２４０、ハードディスク２５０、および管理部２７０を備えている。
【００３５】
画像読み取り部１１０は、例えばＣＣＤ１１６を備えており、画像データを入力するための画像データ入力手段として機能する。操作部１１２は、各種入力キー等を備えた入力部１１２ａとＬＣＤ等の表示手段を備えた表示部１１２ｂとを有しており、装置の動作や条件等の入力走査を受け、入力された条件等を表示する。
【００３６】
画像形成部２１０は、揮発性メモリ２６０とＬＳＵ２２７等を備えた印字部を有しており、画像データ記憶手段としてのハードディスク２５０に記憶されている画像データを出力する画像データ出力手段として機能する。機器制御部２３０は、複合機１を構成する各部の動作を監視すると共に、デジタル複合機として的確な動作を行うように装置全体を制御する。通信部２４０は、ネットワーク上に設置されたパーソナルコンピュータ等のクライアントマシンとの間の通信を制御する。
【００３７】
ハードディスク２５０は、各入力手段（入力経路：デジタル複合機として搭載された各モード、例えば、スキャナ、ファックス、ネットワーク等）から入力された画像データを記憶する画像データ記憶手段として機能する。この画像データ記憶手段は、磁気記憶媒体を備えた記憶装置として構成することができる。管理部２７０は、上記機器制御部２３０における装置各部の制御に必要な情報等を管理する。
【００３８】
本複合機１を複写機として利用する場合には、画像読み取り部１１０にて読み取られた原稿の画像データが、画像形成部２１０から複写物として出力される。画像読み取り部１１０に設けられたＣＣＤ１１６により、読み取り位置にセットされた原稿の画像を電子的に読み取ることができる。そして、読み取られた原稿の画像データは、揮発性のメモリ２６０上に出力画像として完成され、一旦ハードディスク２５０へ記憶される。原稿が複数ある場合は、この読み取り、記憶の動作が繰り返される。
【００３９】
その後、操作部１１２から指示された処理モードに基づいて、ハードディスク２５０に記憶された画像データが適切なタイミングで順次読み出され揮発性のメモリ２６０に送られる。そして、画像形成部２１０への書き込みタイミングに合わせて画像データがメモリ２６０からＬＳＵ２２７へと転送される。
【００４０】
また、読み取った画像データを複数枚印字する場合も、同様に出力画像としてページ単位でハードディスク２５０へ記憶され、出力するモードに合わせてハードディスク２５０から揮発性メモリ２６０に送られ、出力枚数の分だけ繰り返し、画像形成部２１０への書き込みタイミングに合わせてＬＳＵ２２７へ転送される。
【００４１】
次に、本複合機１をプリンタとして利用する場合には、通信部２４０にて受信した画像データがメモリ２６０等を介して画像形成部２１０から出力される。通信部２４０は、通信ケーブル等によりネットワークと接続されており、ネットワーク上に接続されたパーソナルコンピュータＰＣ（１），ＰＣ（２）等の機器から画像データを受信する。
【００４２】
通信部２４０にて受信された画像データは、出力する画像データとしてページ単位にメモリ２６０に送られ、一旦ハードディスク２５０へ記憶される。そして、再びハードディスク２５０から揮発性のメモリ２６０に送られ、複写機として利用する場合と同様にしてＬＳＵ２２７へと転送される。
【００４３】
また、本複合機１をネットワークスキャナとして利用する場合には、画像読み取り部１１０において読み取られた原稿の画像データを、通信部２４０からネットワークを介して任意のパーソナルコンピュータＰＣ（１），ＰＣ（２）へ送信することができる。ここでも画像読み取り部１１０に備えられたＣＣＤ１１６により原稿の画像を電子的に読み取る。
【００４４】
そして、読み取られた原稿の画像データは、揮発性のメモリ２６０上に出力画像として完成され、一旦ハードディスク２５０へ記憶される。そして、再びハードディスク２５０から揮発性のメモリ２６０に送られ、操作部１１２を介して指示された送信先との通信を確立させた上で通信部２４０から目的の送信先へと送信される。
【００４５】
さらに、通信部２４０は、ネットワーク以外に公衆電話回線と接続されており、本複合機１をファクシミリ装置として利用する場合にも同様の動作が行われ、外部通信装置との原稿画像の送信および受信が可能である。
【００４６】
なお、ここでは画像データを一時的に保存する記憶装置としてハードディスク２５０を備えたデジタル複合機として説明しているが、これに限らず、装置本体から取り外されても保存された画像データを保持することができる不揮発性のメモリや、バックアップ機能の付いたメモリ、磁気記憶媒体を用いたその他の記憶装置（媒体）等を備えている場合についても同様に適用することが可能である。
【００４７】
また、本複合機１の各構成部は、前述したように、機器制御部２３０により制御される。機器制御部２３０は、操作部に設けられたタブレット、キー群等の入力部１１２ａからの指示内容を監視すると共に、表示部１１２ｂを介して複合機１の状態に関する情報等利用者に通知すべき情報を的確に案内表示する。
【００４８】
また、管理部２７０には、機器制御部２３０により管理されている各構成部に関する情報が管理されており、これらの情報をもとに、機器制御部２３０が複合機１の全体の動作を制御する。
【００４９】
《手差しトレイからのはがき印刷について》
（第１の実施形態）
図３は、図１における装置の右側面に設けられた手差しトレイ（本発明の用紙給紙手段）２１１ｃによる官製はがき（用紙）の給紙例を示す。この手差しトレイ２１１ｃには、一対の可動式のガイド５０１，５０１が設けられており、図示のように、この両ガイド５０１，５０１を載置した用紙の幅に合わせてセットすることで、呼び込みローラ（図１の２１１ｄ）による搬送経路への給紙時における用紙の斜め送り（斜行）を防止することができる。
【００５０】
手差しトレイ２１１ｃの奥側には、セットされた用紙の表裏を判別するための光反射型のセンサ５０３（５０３ａ，５０３ｂ）が設けられており、その表裏の判断基準としては、例えば官製はがきであれば額面部分の有無を検出すればよい。また、額面部分の色を検出することにより、官製往復はがきの表裏を確認することができる。なお、用紙は、官製はがきや官製往復はがき以外の私製はがきであってもよい。
【００５１】
さらに、官製はがき以外の用紙でも、例えば、食事処で使用される御品書き（メニュー）等、予め特定の画像（模様、ロゴ等）が印刷されているものがある。このような用紙は、多くの場合、その表面に装飾を施した画像が形成されており、裏は白色の無地である。また、官製はがきには、表面に額面に対する画像があらかじめ印刷されており裏面は無地が一般的である。以下、官製はがきを例に説明する。なお、検出面が画像形成面であるとして説明する。
【００５２】
図３に示すように、官製はがきを手差しトレイ２１１ｃに載置したときに額面の画像がくる位置にセンサ（５０３）を１個あるいは複数個設ける。このセンサ（５０３）は、例えば、発光部と受光部からなり、発光部から被検出物（ここでは官製はがき）に光を照射し、その反射光を受光部で検知する。この受光部での出力信号により手差しトレイ２１１ｃ上に載置された官製はがきの表裏を検出することができる。
【００５３】
また、額面画像の色に対する出力信号をテーブル化して記憶装置に保管したものと検出した出力信号とを比較することにより額面画像の色を判断することも可能である。センサ（５０３）に関しては記載の方法以外に、例えば縮小光学系とカラーＣＣＤの組み合わせでも、同様の機能を奏することができる。
【００５４】
センサ（５０３）からの出力信号は前述の機器制御部２３０に送られ、その官製はがきの載置された状態（セット状態）が判別される。すなわち、機器制御部２３０は、各種演算を行うＣＰＵ及びＲＯＭ、ＲＡＭを備え、センサ（５０３）からの出力信号を受けて、手差しトレイ２１１ｃに載置された用紙の表、裏および方向を判別する用紙セット状態判別手段として機能し、かつ、その判別結果に基づいて、画像データ記憶手段（２５０）に記憶されている画像データによる画像の記録を制御する記録制御手段としても機能する。
【００５５】
一方、複合機１に接続されたパーソナルコンピュータＰＣ（１）またはＰＣ（２）から送られてくる画像データはメモリ（画像メモリ）２６０に記憶されており、例えば、図５（ａ）に示す時系列の１番目の“画像データＡ”には、図５（ｃ）に示す官製はがきの表面に印刷されるべきあて先の住所、氏名等のデータが記載されている。また、２番目の“画像データＢ”には官製はがきの裏面に印刷されるべきあいさつ文や催事の連絡内容が記載されている。
【００５６】
セット状態判別手段によって載置された官製はがきが表であると判別されると、記録制御手段によって、メモリ２６０から時系列（印刷処理を実行する際の）の１番目の“画像データＡ”が選ばれ、画像形成部２１０に制御信号を出力し画像形成のシーケンスに入る。一方、載置された官製はがきが裏であると判別されると、記憶されているメモリから時系列の２番目の“画像データＢ”が選ばれ、画像形成部２１０に制御信号を出力し画像形成のシーケンスに入る。
【００５７】
図４は官製往復はがきの給紙例を示す。官製往復はがきは、往信側の額面部分の画像は青色であり、その裏面は無地である。返信側の額面部分の画像は緑色であり、その裏面は無地である。
【００５８】
その往信側（青色額面側）には、相手の住所、氏名等を印字し、その裏面には催事の日時、場所等の相手への連絡事項を印字する。返信側（緑色額面側）には差出人の住所、氏名を印字し、その裏面には催事に対する出欠等の相手の意向を記すことになる。
【００５９】
前述のセンサ（５０３）からの出力信号によって、手差しトレイ２１１ｃに載置された官製往復はがきの額面部分の色（あるいは往信、返信の文字の画像の特徴）からセット状態判別手段により載置の状態が判別される。
【００６０】
一方、同様に、複合機１に接続されたパーソナルコンピューターＰＣ（１），（２）からの画像データはメモリ（画像メモリ）２６０に記憶されており、例えば、図５（ｂ）に示す時系列の１番目の“画像データＣ”は、図５（ｃ）に示す往復はがきの往信側表面（青色額面側）用の相手の住所、氏名等のデータである。
【００６１】
また、２番目の“画像データＤ”は返信側裏面用の催事に対する出欠等の相手の意向を記すデータである。時系列の３番目の“画像データＥ”は返信側表面（緑色額面側）に記録されるべき差出人の住所、氏名のデータである。また４番目の“画像データＦ”は往信側裏面に記録されるべき催事の日時、場所等の相手への連絡事項のデータである。
【００６２】
そして、手差しトレイ２１１ｃに載置された官製往復はがきが、往信側表面（青色額面側）であると判別されれば、メモリ２６０から時系列の１番目の往信側表面（青色額面側）用の“画像データＣ”を、次に２番目の“画像データＤ”すなわち返信側裏面に記録すべき催事に対する出欠等の相手の意向を記したデータを選び画像形成部２１０に制御信号を出力し、画像形成のシーケンスに入る。
【００６３】
載置された官製往復はがきが、返信側表面（緑色額面側）であると判別されれば、時系列の３番目の“画像データＥ”の返信側表面（緑色額面側）に対応する差出人の住所、氏名のデータを選び、次に４番目の“画像データＦ”の往信側裏面に対する催事の日時、場所等の相手への連絡事項を選び画像形成部２１０に制御信号を出力し、画像形成のシーケンスに入る。
【００６４】
以上のように複数ある画像データが適切な状態で記録再現されるように制御されるので、利用者にとっても操作が簡単であると共に、ミスプリントの発生を抑えることが出来る。
【００６５】
図６は、手差し・はがきモードにおいて、用紙を手差しトレイ２１１ｃに載置した後の処理手順を示す。まず、載置された用紙上にあらかじめ印刷されている特定の画像（例えば、額面部分）の特徴が検出され（Ｓ１）、その特徴を認識できないときには、接続されたパーソナルコンピュータの表示部あるいはデジタル複合機の操作パネル表示部に例えば「用紙の印字面が確定できません。用紙のセット状態を確認ください。」等の「確認メッセージ」を表示する（Ｓ２）。
【００６６】
次いで、官製往復はがきであるか否かが判断され（Ｓ３）、官製往復はがきであれば、往信側か否かが判断され（Ｓ４）、往信側であれば、往信側表面、返信側裏面のプリントが行われ（Ｓ５）た後、裏返しＯＫであれば（Ｓ６）、裏返しが行われ（Ｓ７）た後、返信側表面、往信側裏面のプリントが行われる（Ｓ８）。
【００６７】
また、Ｓ４にて、往信側でなければ、返信側表面、往信側裏面のプリントが行われ（Ｓ９）た後、裏返しＯＫであれば（Ｓ１０）、裏返しが行われ（Ｓ１１）た後、往信側表面、返信側裏面のプリントが行われる（Ｓ１２）。また、Ｓ３にて、官製往復はがきでなければ、官製はがきの表面のプリントが行われ（Ｓ１３）た後、裏返しＯＫであれば（Ｓ１４）、裏返しが行われ（Ｓ１５）た後、裏面のプリントが行われる（Ｓ１６）。なお、Ｓ６，Ｓ１０，Ｓ１４における「裏返しＯＫか？」の問いかけに対する判断は、図3、図４におけるセンサ５０３（５０３ａ，５０３ｂ）のいずれが検知状態／未検知状態であるのか、また、検知したセンサ５０３が何色を検知したかにより判断すればよい。
【００６８】
以上のように、セットされた用紙の表、裏および方向（セット状態）が判別され、その判別結果に基づいて、画像の記録が制御されることで、用紙のセット状態を意識することなく、用紙給紙部に用紙をセットするだけで、入力された画像データが適切な状態で用紙上に記録再現される。従って、用紙のセット状態を確認する必要がなく利用者にとって使い勝手がよい。また、セットされた用紙上から特定の特徴を確認できないときには、以降の画像記録動作が制限されるので、ミスプリントの発生を抑えることもできる。
【００６９】
（第２の実施形態）
図７は、図１における装置の右側面に設けられた手差しトレイ２１１ｃを示す。この手差しトレイ２１１ｃには、一対の可動式のガイド５０１，５０１が設けられており、図示のように、この両ガイド５０１，５０１を載置した用紙の幅に合わせてセットすることで、呼び込みローラ（図１の２１１ｄ）による搬送経路への給紙時における用紙の斜め送り（斜行）を防止することができる。
【００７０】
そして、セットされた用紙幅に合わせてガイド５０１，５０１が調整された時点で、センサ５０４（５０４ａ，５０４ｂ，５０４ｃ）によって用紙幅が検出される。また、アクチェータ付きセンサ５０５によって、セットした用紙の長さが検出される。これらのセンサ５０４、５０５によって、用紙のサイズが判定される。
【００７１】
両ガイド５０１，５０１の奥側には、セットされた用紙の表裏を判別するための光反射型のセンサ５０３ａ，５０３ｂが設けられており、例えば官製はがきであれば額面部分の有無を検出することにより、表裏の判断が可能となる。また、額面部分をどちらのセンサ５０３ａ，５０３ｂで検知したか判別することにより、官製はがきの方向を判別できる。あるいは、額面部分の色を検出することにより、官製往復はがきの表裏の確認ができる。
【００７２】
さらに、上記センサ５０４の用紙幅検知とアクチェータ付きセンサ５０５による用紙長さ判別検知を組み合わせることにより手差しトレイ２１１ｃにセットした用紙の表裏、方向（セット状態）および官製はがきか官製往復はがきかの識別が可能となる。
【００７３】
ここでは、図７に示すように、官製往復はがきを例として、その往信面が画像形成面側である場合について説明する。まず、官製往復はがきを手差しトレイ２１１ｃに載置しガイド５０１，５０１をはがき幅に合わせることにより、ガイド５０１，５０１の動きと同期して、その一方のガイド５０１に一体的に取り付けられているセンサ遮光部５０１ａが移動し、図示のように、センサ５０４ｂを遮光する。
【００７４】
センサ遮光部５０１ａが、センサ５０４ａ（官製はがき縦幅）、５０４ｂ（官製はがき横幅・往復はがき横幅）、５０４ｃ（往復はがき縦幅）のどのセンサによって検知されるかによりはがき幅を識別することができる。また、往復はがきを手差しトレイ２１１ｃに横方向にセットした時に限り検知する位置に、上述のアクチェータ付きセンサ５０５を設けている。この位置にアクチェータ付きセンサ５０５を設けることにより、セットしたはがきが官製はがきか官製往復はがきであるかを判別することができる。
【００７５】
これらのはがき幅およびはがき長さを検出するためのセンサにより手差しトレイ２１１ｃにセットしたはがきの種類、方向（セット状態）を識別することができる。そして、官製往復はがきを手差しトレイ２１１ｃに載置した時に往信額面側に、額面部分がくる両サイドの位置（ガイド５０１，５０１の奥側の部位）に複数のセンサ５０３（５０３ａ，５０３ｂ）を設け、両ガイド５０１，５０１のはがき幅調整動作に伴って、それらのセンサ５０３も同期して移動するような構成としている。
【００７６】
この場合、左右のセンサ５０３ａ，５０３ｂのどちらが額面部分を検知したかによって手差しトレイ２１１ｃ上の官製往復はがきの方向を判別することができる。また、額面画像の色を出力信号テーブル化したものを記憶装置に作成保管したものと検出した出力信号と比較することにより額面画像の色を判断し、官製往復はがきの裏表を判別することができる。
【００７７】
このような仕組みによって、手差しトレイ２１１ｃにセットしたはがきの種類、方向、裏表を判別する時の各センサの検知状態一覧表を図８に示し、また、それぞれのはがきのセット状態を図９ないし図１１にそれぞれ示す。
【００７８】
一方、同様に、複合機１に接続されたパーソナルコンピューターＰＣ（１），（２）からの画像データはメモリ（画像メモリ）２６０に記憶されており、例えば、図１２に示す官製往復はがき１番目の“画像データＣ”には、往信側表面に記載すべき相手の住所、氏名等のデータ、返信側裏面に記載すべき催事に対する出欠等の相手の意向を記載するデータが記載されている。また、２番目の“画像データＤ”には、返信側裏面に記載すべき差出人の住所、氏名等のデータ、往信側裏面に記載すべき催事の日時、場所等の相手への連絡事項等のデータが記載されている。
【００７９】
上記判別方法によって、手差しトレイ２１１ｃに載置された官製往復はがきのセット状態が、図８に示す「往復横Ａ」であると判別されると、記憶されているメモリ中の１番目の“画像データＣ”から往信側表面・返信側裏面のデータを選び画像形成部２１０に制御信号を出力し、その画像データを官製往復はがきに印字する。
【００８０】
一方、判別方法により、往復はがきのセット状態が図８に示す「往復横Ｂ」であると判別された場合、“画像データＣ”を選び１８０°回転させた状態の画像データを官製往復はがきに印字する。また、官製往復はがきのセット状態が図８に示す「往復横Ｃ」であると判別された場合、２番目の“画像データＤ”から返信側表面・往信側裏面のデータを選び、その画像データを官製往復はがきに印字する。
【００８１】
官製はがきの場合は、図１２に示す１番目の“画像データＡ”は官製はがき表面用のデータであり、２番目の“画像データＢ”は官製はがき裏面用のデータである。
【００８２】
判別方法により、手差しトレイ２１１ｃに載置された官製はがきが図８に示す「官製横Ａ」であると判別されると、記憶されているメモリから１番目の“画像データＡ”から画像データを選び画像形成部２１０に制御信号を出力し、その画像データを官製はがきに印字する。
【００８３】
一方、判別方法により、載置された官製はがきのセット状態が「官製横Ｃ」（裏）であれば、記憶されているメモリから２番目の“画像データＢ”が選ばれ、画像形成部２１０に制御信号を出力し、その画像データが印字される。
【００８４】
このような方法を用いることにより、利用者は手差し給紙トレイ２１１ｃに用紙をセットする時に用紙の表裏、縦横の方向、はがきの種類等々に注意を払う必要がなくなるため、操作が格段に簡単になると共に、ミスプリントを防止することもできる。
【００８５】
以上のような処理の流れについて、図１３，１４のフローチャートにより説明する。手差し・はがきモードにて、官製はがきを手差しトレイ２１１ｃにセット（Ｓ２１）した後、両ガイド５０１，５０１を官製はがきに合わせ（Ｓ２２）、用紙幅・用紙方向を検出する（Ｓ２３）。次いで、幅Ｈ１縦方向（官製はがき）であるか否かが判断され（Ｓ２４）、その官製はがきが、幅Ｈ１縦方向であれば、Ｓ１センサが額面部分を検知したか否かが判断され（Ｓ２５）、額面部分が検知されれば、“画像データＡ”（表面）の印字が行われる（Ｓ２６）。
【００８６】
Ｓ２５にて、Ｓ１センサが額面部分を検知しなければ、Ｓ２センサが額面部分を検知したか否かが判断され（Ｓ２７）、額面部分が検知されれば、“画像データＡ”が１８０°回転（Ｓ２８）された後、“画像データＡ”の印字が行われる（Ｓ２９）。
【００８７】
Ｓ２７にて、Ｓ２センサによって額面部分が検知されなければ、センサによる額面部分検知なしか否かが判断され（Ｓ３０）、額面部分検知なしの場合には、“画像データＢ”（裏面）の印字が行われる（Ｓ３１）。Ｓ３０にて、額面部分が検知されれば、確認メッセージ７０が表示される（Ｓ７０）。
【００８８】
Ｓ２４にて、幅Ｈ１縦方向（官製はがき）でなければ、幅Ｈ２横方向（官製はがき）であるか否かが判断され（Ｓ３２）、幅Ｈ２横方向であれば、Ｓ２センサが額面部分を検知したか否かが判断され（Ｓ３３）、額面部分が検知されれば、“画像データＡ”が右９０°回転され（Ｓ３４）た後、“画像データＡ”の印字が行われる（Ｓ３５）。
【００８９】
Ｓ３３にて、Ｓ２センサ類が額面部分を検知しなければ、Ｓ１センサ類が額面部を検知したか否かが判断され（Ｓ２５）、額面部分が検知されれば、“画像データＡ”が左９０°回転され（Ｓ３７）た後、“画像データＡ”の印字が行われる（Ｓ３８）。
【００９０】
Ｓ３６にて、Ｓ１センサが額面部分を検知しなければ、センサによる額面部分検知なしか否かが判断され（Ｓ３９）、検知なしであれば、“画像データＢ”が９０°回転され（Ｓ４０）た後、“画像データＢ”の印字が行われる（Ｓ４１）。Ｓ３９にて、センサ額面部分検知なしでなければ、確認メッセージ７０が表示される（Ｓ７０）。
【００９１】
Ｓ３２にて、幅Ｈ２横方向（官製はがき）でなければ、幅Ｈ２横方向（往復はがき）であるか否かが判断され（Ｓ４２）、幅Ｈ２横方向（往復はがき）であれば、Ｓ２センサによって往復額面部分が検知されたか否かが判断され（Ｓ４３）、往復額面部分が検知さた場合には、“画像データＣ”，“画像データＤ”（往復）が右９０°回転され（Ｓ４４）た後、そのデータの印字が行われる（Ｓ４５）。
【００９２】
Ｓ４３にて、Ｓ２センサによって往復額面部分が検知されなければ、Ｓ１センサによって往復額面部分が検知されたか否かが判断され（Ｓ４６）、往復額面部分を検知した場合には、“画像データＣ”，“画像データＤ”が左９０°回転され（Ｓ４７）た後、そのデータの印字が行われる（Ｓ４８）。
【００９３】
Ｓ４６にて、Ｓ１センサによって往復額面部分が検知されなければ、Ｓ２センサが返信額面部分を検出したか否かが判断され（Ｓ４９）、返信額面部分が検出された場合には、“画像データＥ”，“画像データＦ”（往復）が右９０°回転され（Ｓ５０）た後、そのデータの印字が行われる（Ｓ５１）。
【００９４】
Ｓ４９にて、Ｓ２センサによって返信額面部分が検知されなければ、Ｓ１センサによって返信額面部分が検知されたか否かが判断され（Ｓ５２）、返信額面部分が検知された場合には、“画像データＥ”，“画像データＦ”が左９０°回転され（Ｓ５３）た後、そのデータの印字が行われる（Ｓ５４）。
【００９５】
Ｓ４２にて、幅Ｈ２横方向（往復はがき）でなければ、幅Ｈ３縦方向の往復はがきが検知されたか否かが判断され（Ｓ５５）、幅Ｈ３縦方向の往復はがきが検知されば、Ｓ１センサによって往復額面部分が検知されたか否かが判断され（Ｓ５６）、往復額面部分が検知されれば、“画像データＣ”，“画像データＤ”の印字が行われる（Ｓ５７）。Ｓ５５にて、幅Ｈ３縦方向の往復はがきが検知されなければ、確認メッセージが表示される（Ｓ７０）。
【００９６】
Ｓ５６にて、Ｓ１センサによって往復額面部分が検知されなければ、Ｓ２センサによって往復額面部分が検出されたか否かが判断され（Ｓ５８）、往復額面部分が検出されると、“画像データＣ”，“画像データＤ”が１８０°回転され（Ｓ５９）た後、そのデータの印字が行われる（Ｓ６０）。
【００９７】
Ｓ５８にて、Ｓ２センサによって往復額面部分が検出されなければ、Ｓ１センサによって返信額面部分が検出されたか否かが判断され（Ｓ６１）、返信額面部分が検出された場合には、“画像データＥ”，“画像データＦ”の印字が行われる（Ｓ６２）。
【００９８】
Ｓ６１にて、Ｓ１センサが返信額面部分を検出しなければ、Ｓ２センサによって返信額面部分が検出されたか否かが判断され（Ｓ６３）、返信額面部分が検出された場合には、“画像データＥ”，“画像データＦ”が１８０°回転され（Ｓ６４）た後、そのデータの印字が行われる（Ｓ６５）。Ｓ６３にて、Ｓ２センサによって返信額面部分が検出されなければ、確認メッセージが表示される（Ｓ７０）。
【図面の簡単な説明】
【００９９】
【図１】本発明の実施形態に係る画像記録装置の構成説明図である。
【図２】同画像記録装置の制御系統ブロック図である。
【図３】同官製郵便はがきを用紙給紙手段に載せている状態の説明図である。
【図４】同画像メモリに記憶される画像データの説明図である。
【図５】同官製往復郵便はがきを用紙給紙部に載せている状態の説明図である。
【図６】同第１の実施形態におけるデータ処理を説明するためのフローチャートである。
【図７】同第２の実施形態における用紙給紙部の説明図である。
【図８】同センサ対応のセット状態検知内容の一覧図である。
【図９】同官製はがきのセット状態の説明図である。
【図１０】同往復はがき横のセット状態の説明図である。
【図１１】同往復はがき縦のセット状態の説明図である。
【図１２】同画像メモリに記憶される画像データの説明図である。
【図１３】同処理手順を説明するためのフローチャートの一部である。
【図１４】同処理手順を説明するためのフローチャートの残部である。
【符号の説明】
【０１００】
２１１ｃ−用紙給紙手段
２３０−用紙セット状態判別手段，記録制御手段
２５０−画像データ記憶手段
【図１】
2005031491.tif 000003
【図２】
2005031491.tif 000004
【図３】
2005031491.tif 000005
【図４】
2005031491.tif 000006
【図５】
2005031491.tif 000007
【図６】
2005031491.tif 000008
【図７】
2005031491.tif 000009
【図８】
2005031491.tif 000010
【図９】
2005031491.tif 000011
【図１０】
2005031491.tif 000012
【図１１】
2005031491.tif 000013
【図１２】
2005031491.tif 000014
【図１３】
2005031491.tif 000015
【図１４】
2005031491.tif 000016